(57)【特許請求の範囲】
【請求項１】
所要の幅と長さを備えた基台の一面に追加引込線用引留部が突設されると共に、同他面に既設引留具用取付け部が突設されてなる追加型引込線用引留具であって、上記引留部は追加引込線を蛇行・巻回状に引留るべく頂部に鍔を備えた所要数の巻付け柱より構成されると共に、該両端巻付け柱の鍔には各々略Ｔ字形状の巻付け片が突設され、他方、取付け部は既設引留具の引留部を構成する所要数の鍔付き巻付け柱に係止自在とされた係止片と、同巻付け柱間の間隙に挿入自在とされた移動防止片とより構成されてなることを特徴とする、追加型引込線用引留具。
【請求項２】
請求項１記載の追加型引込線用引留具を既設の引留具に取付け部を介して取付けたのち、引留部に追加引込線を蛇行・巻回状に引留るべく構成されてなることを特徴とする、追加型引込線の引留方法。
【発明の詳細な説明】
【０００１】
【発明の属する技術分野】
本発明は、主として電柱等より電話線や光ケ−ブルなどの引込線を引留るべく設置された既設の引留具を利用して新規に追加引込線を引留めることが出来る、追加型引込線用引留具、及びそれを用いた追加型引込線の引留方法に関する。
【０００２】
【従来の技術】
従来より、電話線や光ケ−ブルなどの引込線用引留具としては、例えば図１２及び図１３に示すものが知られており、これを同図に基づいて説明する。
即ち、同図中、５１は合成樹脂製引込線用引留具、５２は該引留具５１を構成する所要の幅と長さを備えた細長な方形体状の基台、５３は該基台５２上に一体に突設された引留部で、該引留部５３は基台５２上の中央部に突設された頂部に円形状の鍔５５を有する第１巻付け柱５４と、同基台５２上の両端部に各々突設された頂部に方形状鍔５８・５９を各々有する第２・第３巻付け柱５６・５７と、基台５２の長手方向に沿うべく第２巻付け柱５６の鍔５８に一体に突設された略Ｔ字形状の巻付け片６０とより構成されている。６１は上記巻付け片６０の下方に位置すべく基台５２の一端部に連設された掛止用リングである。その他、６２ａは電話線や光ケ−ブルなどの引込線を示す。
【０００３】
そして、上述の如く構成された従来の引留具５１は、図１３に示すように、所要の家屋に固定された引留用フック（図示略）に掛止用リング６１を掛止せしめると共に、第１・第２・第３巻付け柱５４・５６・５７に引込線６２ａを蛇行・巻回状に引留める。
即ち、引込線６２ａを第３巻付け柱５７に沿わせつつ第１巻付け柱５４に巻付けると共に、第２巻付け柱５６に沿わせつつ巻付け片６０に巻付けて引留るものである。
【０００４】
【発明が解決しようとする課題】
ところで、上述の如く構成された従来の引留具５１は、電話線など所要の引込線６２ａを迅速かつ確実に引留めることが出来る反面、新規に引込線を追加して引込むさいにはその毎に引留具５１を別途独立に設置する必要があるものであって、ひいては、追加引込線の引込み作業が非常に面倒で手間がかかり、極めて作業能率が悪いものとなっていた。また、追加の引込線を引込むさいには相応の敷設スペ−スが必要とされるため、住宅密集地などにおいては敷設スペ−スの確保が非常に難しいものとなっていた。
【０００５】
本発明は、かかる従来例の問題点を一挙に解決しようとするもので、既設の引留具を利用することにより少ない敷設スペ−スでもって追加引込線を迅速、かつ、確実に作業能率よく引込むことが出来る追加型引込線用引留具を提供するものである。
【０００６】
【課題を解決するための手段】
即ち、請求項１記載の発明は、所要の幅と長さを備えた基台の一面に追加引込線用引留部が突設されると共に、同他面に既設引留具用取付け部が突設されてなる追加型引込線用引留具であって、上記引留部は追加引込線を蛇行・巻回状に引留るべく頂部に鍔を備えた所要数の巻付け柱より構成されると共に、該両端巻付け柱の鍔には各々略Ｔ字形状の巻付け片が突設され、他方、取付け部は既設引留具の引留部を構成する所要数の鍔付き巻付け柱に係止自在とされた係止片と、同巻付け柱間の間隙に挿入自在とされた移動防止片とより構成されてなることを特徴とする、追加型引込線用引留具を要旨とするものである。
【０００７】
上記請求項１記載の発明に係る追加型引込線用引留具は、取付け部の係止片を既設引留具の鍔付き巻付け柱に係止せしめると共に、同巻付け柱間に移動防止片を挿入せしめ、常にワンタッチで迅速、かつ、確実に、しかも、その移動を確実に防止せしめて取付けることが出来る。そして、引留部に追加引込線を一端の鍔付き巻付け柱に沿わせつつ順次鍔付き巻付け柱に巻付けると共に、他端の鍔付き巻付け柱に沿わせつつ巻付け片に巻付け、常に追加引込線を迅速、かつ、確実に引留めることが出来るのみならず、両端巻付け柱には各々略Ｔ字形状の巻付け片が突設されているから、既設引留具に引留められた引込線の蛇行・巻回方向が作業者によって異なる場合においても、それに応じて追加型引込線用引留具の向きを正逆自由に変え、常に蛇行・巻回する既設引込線を回避せしめつつ係止片を対応する既設引留具の鍔に確実に係止せしめることが出来るものであって、常に既設の引留具を利用することにより追加の引込線を少ないスペ−スでもって迅速、かつ、確実に、しかも作業能率よく引留ることが出来るものである。
【０００８】
請求項２記載の発明は、請求項１記載の追加型引込線用引留具を既設の引留具に取付け部を介して取付けたのち、引留部に追加引込線を蛇行・巻回状に引留るべく構成されてなることを特徴とする、追加型引込線の引留方法を要旨とするものである。
【０００９】
そして、請求項２記載の発明に係る追加型引込線の引込み方法は、既設の引留具を利用して追加引込線を簡単、かつ、容易に、しかも、少ない敷設スペ−スでもって引留ることが出来るものである。
【００１０】
【発明の実施の形態】
以下に、本発明の実施の形態を図面に示す一実施例に基づいて説明する。
図１乃至図７は本発明の第１実施例を示すもので、同図中、１ａは合成樹脂製追加型引込線用引留具、２ａは該引留具１ａを構成する所要の長さを備えた方形体状基台で、該基台２ａの幅は従来の引留具５１を構成する基台５２より若干広幅状に形成されている。３ａは上記基台２ａ上に一体に突設された引留部、４ａは同基台２ａの下面に一体に突設された取付け部である。そして、上記引留部３ａは基台２ａ上の中央部に突設された頂部に円形状鍔６ａを有する円柱状の第１巻付け柱５ａと、同基台２ａ上の両端部に各々突設された頂部に方形状鍔９ａ・１０ａを有する略楕円柱状の第２・第３巻付け柱７ａ・８ａと、基台２ａの長手方向に沿うべく両端の第２・第３巻付け柱７ａ・８ａの鍔９ａ・１０ａに各々一体に突設された略Ｔ字形状の巻付け片１１ａ・１２ａとより構成されている。また、前記取付け部４ａは既設引留具５１を構成する第２・第３巻付け柱５６・５７の鍔５８・５９に係止せしめるべく基台２ａ下面の一側両端に下方突設された一対の第１係止片１３ａと、同第１巻付け柱５４の鍔５５に係止せしめるべく基台２ａ下面の他側中央部に下方突設された第２係止片１４ａと、第１・第２・第３巻付け柱５４・５６・５７の間の間隙に挿入すべく基台２ａ下面の短手方向に沿って突設された両側一対の移動防止片１５ａとより構成されている。その他、６２ｂは電話線や光ケ−ブルなどの追加引込線を示す。
【００１１】
上述の如く構成された追加型引込線用引留具１ａを既設の引留具５１に取付けるさいには、先ず、既設引留具５１を構成する第２・第３巻付け柱５６・５７の各鍔５８・５９に各々第１係止片１３ａを係止せしめつつ、既設引留具５１に被嵌せしめる。しかるのち、既設引留具５１方向に押圧せしめ、第１巻付け柱５４の鍔５５に第２係止片１４ａを係止せしめると共に、第１巻付け柱５４と第２・第３巻付け柱５６・５７との間隙内に移動防止片１５ａを各々挿入せしめ、取付けを完了する。このさい、既設引留具５１を構成する第１・第２・第３巻き付け柱５４・５６・５７の鍔５５・５８・５９に第１・第２係止片１３ａ・１４ａを各々係止せしめる（図６及び図７参照）と共に、第１・第２・第３巻付け柱５４・５６・５７間の間隙に移動防止片１５ａを挿入せしめるものであるから、その取付けをワンタッチでもって極めて容易に、しかも、迅速、かつ確実に作業能率よく行なうことが出来るのみならず、取付け後においても移動防止片１５ａにより移動を確実に防止せしめることが出来るものである。
【００１２】
そして、追加型引込線用引留具１ａの取付けが完了すると、図５に示すように第１・第２・第３巻付け柱５ａ・７ａ・８ａに所要の追加引込線６２ｂを蛇行・巻回状に引留る。
即ち、追加引込線６２ｂを第３巻付け柱８ａに沿わせつつ第１巻付け柱５ａに巻付けると共に、第２巻付け柱７ａに沿わせつつその巻付け片１１ａに巻付けて引留る。このさい、追加型引込線用引留具１ａを構成する第２・第３巻付け柱７ａ・８ａの鍔９ａ・１０ａには各々略Ｔ字形状の巻付け片１１ａ・１２ａが各々形成されているから、既設の引留具５１に引留められた引込線６２ａの蛇行・巻回方向が異なっている場合においても、それに応じて追加型引込線用引留具１ａの向きを正逆自由に変えることが出来るものであり、ひいては、常に蛇行・巻回する既設の引込線６２ａを回避せしめつつ第１・第２係止片１３ａ・１４ａを対応する既設引留具５１の鍔５５・５８・５９に確実に係止せしめることが出来るものである。
【００１３】
図８は本発明の第２実施例を示す追加型引込線用引留具１ｂで、基台２ｂの長手方向に沿って引留部３ｂを構成する第１・第２・第３巻付け柱５ｂ・７ｂ・８ｂ及び同鍔６ｂ・９ｂ・１０ｂと巻付け片１１ｂ・１２ｂとが二つ割状に形成されると共に、取付け部４ｂを構成する移動防止片１５ｂが二つ割状に形成され、かつ、鍔６ｂ・９ｂ・１０ｂ及び巻付け片１１ｂ・１２ｂに各々一体形成されたヒンジ１６を介して開閉自在に構成された点が第１実施例と相違し、他の部分は同一であり、同一符号は同一部分を示す。
【００１４】
そして、上述の如く構成された第２実施例は、ヒンジ１６を介して開作動せしめ、既設引留具５１に当てがいつつその両側に第１係止片１３ａを対応する第２・第３巻き付け柱５６・５７の鍔５８・５９に各々係止せしめたのち、第２係止片１４ａを対応する第１巻付け柱５４の鍔５５に係止して取付けるものである。
【００１５】
図９及び図１０は既設引留具５１の下面がわに取付るべく構成された本発明の第３実施例を示す追加型引込線用引留具１ｃで、既設引留具５１の第１・第２・第３巻付け柱５４・５６・５７に蛇行・巻回せしめた引込線６２ａを回避せしめるべく移動防止片１５ｃの中位に傾斜状の切欠き部１７が形成されると共に、鍔５５・５８・５９間に挿入係止せしめるべく所要の高さと幅に形成された点が第２実施例と相違し、他の部分は同一であり、同一符号は同一部分を示す。
【００１６】
そして、上述の如く構成された第３実施例は、既設引留具５１の下面がわに取付る。このさい、図１０に示すように、切欠き部１７により移動防止片１５ｃの中位に嵌入路１８が区画形成されるため、蛇行・巻回する既設の引込線６２ａを嵌入せしめて回避しつつ鍔５５・５８・５９間に挿入係止せしめ、移動防止機能と共に係止機能を発揮せしめるものである。
【００１７】
図１１は本発明の第４実施例を示す追加型引込線用引留具１ｄで、既設引留具５１の下面がわに取付けるべく基台２ａの下面に引留具３ａが突設されると共に，同上面に取付け部４ｃが形成されている点、及び該取付け部４ｃを構成する第１係止片１３ｂ、及び移動防止片１５ｄが若干高く形成されると共に、他側の第２係止片１４ｂが２個突片状に形成されている点が前記第１実施例と相違し、他の部分は同一であり、同一符号は同一部分を示す．
【００１８】
そして、上述の如く構成された第４実施例は、図１１に示すように、既設引留具５１の下面がわに取付けるものとされている。
【００１９】
なお、上記第１乃至第４実施例において、引留部３ａ・３ｂを構成する第１・第２・第３巻付け柱５ａ・５ｂ・７ａ・７ｂ・８ａ・８ｂは３個形成するものとされているが、これに限定されるものでなく、既設引留具５１の形状に応じてその個数および形状を適宜変更せしめることが出来るものである。また、同様に、取付け部４ａ・４ｂ・４ｃを構成する第１・第２係止片１３ａ・１３ｂ・１４ａ・１４ｂ及び移動防止片１５ａ・１５ｂ・１５ｃ・１５ｄも既設引留具５１の形状に応じて適宜その個数及び形状を変更せしめることが出来るものである。
【００２０】
【発明の効果】
請求項１記載の発明は上述のように構成されているから、取付け部の係止片を既設引留具の鍔付き巻付け柱に係止せしめると共に、同巻付け柱間に移動防止片を挿入せしめ、常にワンタッチで迅速、かつ、確実に、しかも、その移動を確実に防止せしめて取付けることが出来る。そして、引留部に追加引込線を一端の鍔付き巻付け柱に沿わせつつ順次鍔付き巻付け柱に巻付けると共に、他端の鍔付き巻付け柱に沿わせつつ巻付け片に巻付け、常に追加引込線を迅速、かつ、確実に引留めることが出来るのみならず、両端巻付け柱には各々略Ｔ字形状の巻付け片が突設されているから、既設引留具に引留められた引込線の蛇行・巻回方向が作業者によって異なる場合においても、それに応じて追加型引込線用引留具の向きを正逆自由に変え、常に蛇行・巻回する既設引込線を回避せしめつつ係止片を対応する既設引留具の鍔に確実に係止せしめることが出来るものであって、常に既設の引留具を利用することにより追加の引込線を少ないスペ−スでもって迅速、かつ、確実に、しかも作業能率よく引留ることが出来るものである。
【００２１】
請求項２記載の発明によれば以上の次第で、請求項１記載の追加型引込線用引留具を既設の引留具に取付け部を介して取付けたのち、引留部に追加引込線を蛇行・巻回状に引留るべく構成されているから、既設の引留具を利用して追加型引込線を簡単、かつ、容易に、しかも、少ない敷設スペ−スでもって引留ることが出来るものである。
【図面の簡単な説明】
【図１】  本発明の第１実施例を示す斜視図である。
【図２】  第１実施例を示す側面図である。
【図３】  第１実施例を示す正面図である。
【図４】  第１実施例の下面を示す斜視図である。
【図５】  第１実施例の使用状態を示す側面図である。
【図６】  図５のＡ−Ａ線に沿う端面図である。
【図７】  図５のＢ−Ｂ線に沿う端面図である。
【図８】  本発明の第２実施例を示す斜視図である。
【図９】  本発明の第３実施例を示す斜視図である。
【図１０】  第３実施例の使用状態を示す底面図である。
【図１１】  本発明の第４実施例を示す斜視図である。
【図１２】  従来例を示す斜視図である。
【図１３】  従来例を使用状態と共に示す側面図である。
【符号の説明】
１ａ・１ｂ・１ｃ・１ｄ  追加型引込線用引留具
２ａ・２ｂ    基台
３ａ・３ｂ    引留部
４ａ・４ｂ・４ｃ  取付け部
５ａ・５ｂ    第１巻付け柱
６ａ・６ｂ    鍔
７ａ・７ｂ    第２巻付け柱
８ａ・８ｂ    第３巻付け柱
９ａ・９ｂ    鍔
１０ａ・１０ｂ  鍔
１１ａ・１１ｂ  巻付け片
１２ａ・１２ｂ  巻付け片
１３ａ・１３ｂ  第１係止片
１４ａ・１４ｂ  第２係止片
１５ａ・１５ｂ・１５ｃ・１５ｂ  移動防止片
５１  引留具
５３  引留部
５４  第１巻付け柱
５６  第２巻付け柱
５７  第３巻付け柱
６２ａ 引込線
６２ｂ 追加引込線
【図１】
0003656751.tif 000002
【図２】
0003656751.tif 000003
【図３】
0003656751.tif 000004
【図４】
0003656751.tif 000005
【図５】
0003656751.tif 000006
【図６】
0003656751.tif 000007
【図７】
0003656751.tif 000008
【図８】
0003656751.tif 000009
【図９】
0003656751.tif 000010
【図１０】
0003656751.tif 000011
【図１１】
0003656751.tif 000012
【図１２】
0003656751.tif 000013
【図１３】
0003656751.tif 000014